(57)【要約】　　　（修正有）【課題】紬と毛皮の組み合わせによる斬新なコートを提供する。【解決手段】　左右身頃１ａ、１ｂを大島紬で製作し、その身頃の襟元及びその襟元から左右の身頃１ａ、１ｂの前面合わせ縁全長及び下縁全周、並びに袖３先に、それぞれロシアンセーブル製毛皮２を設ける。大島紬には、ロシアンセーブル製毛皮２と相性の良い色と柄をもつ、「白大島」を使用し、その「白大島」は、地色を染めず、白のままで絣模様に色を入れたものであり、独特の艶をたたえた白が、爽やかな印象を醸し出す。大島紬は、高級絹織物として１３００年の伝統を誇り、世界的にも高い評価を得ており、その気品あふれる和の美しさが、極上ロシアンセーブルと出会って、このコートは全く新しい表情を醸し出す。【選択図】図１
0003099752.tif 000002
【実用新案登録請求の範囲】
【請求項１】
毛皮２と紬から成るコート。
【請求項２】
左右の身頃１ａ、１ｂ及び袖３を紬で製作し、その襟元に毛皮２を設けた請求項1に記載のコート。
【請求項３】
左右の身頃１ａ、１ｂ及び袖３を紬で製作し、前記袖先に毛皮２を設けたことを特徴とする請求項1又は2に記載のコート。
【請求項４】
左右の身頃１ａ、１ｂ及び袖３を紬で製作し、左右身頃１ａ、１ｂの前面合わせ縁全長及び下縁全周に毛皮２を設けたことを特徴とする請求項1乃至３のいずれかに記載のコート。
【請求項５】
上記紬が、大島紬の白大島又は泥大島であり、毛皮２がロシアンセーブルであることを特徴とする請求項1乃至４のいずれかに記載のコート。
【考案の詳細な説明】
【技術分野】
【０００１】
　この考案は、洋式と和式を取り入れたコートに関するものである。
【背景技術】
【０００２】
　生活の向上、趣味の多様化により、人々は自己の着用する衣服にも他との峻別を望むようになり、その衣服の材料にも種々のものが採用されている。特に、コートは、もっとも表に位置するものであるため、その峻別には最適である。
　そのコートとして、高価で他との峻別性の高いものとして毛皮製のものがある。この毛皮製コートは、その全体を毛皮により成したものから、襟元のみに毛皮を設ける等と様々である。その毛皮を部分的に設けたコートは、その他の大部分を織物生地又は編物生地で構成している。それらの生地は何れも、洋服用のものである。
【０００３】
　また、今日の着物産業の斜陽化により、その着物用反物の需要が減少し、その活路を見出すべく、和服用反物により、洋服を作る考案が種々成されている(特許文献１参照)。
【特許文献１】特開平７−３０５２０７号公報
【考案の開示】
【考案が解決しようとする課題】
【０００４】
　着物用反物は、洋服生地にはない雰囲気を醸し出し、その反物からできた洋服はそれなりに販売促進に繋がっている。
　一方、毛皮コートは、元来、高価なものであり、単に、良い毛皮を使用しただけでは、値段が高くなるだけで、顧客の他との峻別化の要求に十分に応えることができない。
【０００５】
　この考案は、毛皮コートにおいても、従来にない斬新なものを市場に提供して販売促進を図ることを課題とする。
【課題を解決するための手段】
【０００６】
　上記課題を達成するために、この考案は、今までは、着物生地としての使用が大部分であった紬と毛皮の組み合わせを採用したのである。
　紬（つむぎ）は、元来、絹の紬糸を用いて織った絹織物である。その紬糸は、真綿から引き出した糸、若しくは玉糸（一つの繭に二つのさなぎが入ってできた玉繭からとった太い節の多い糸）を言い、真綿も本来は糸にならないいわゆる屑繭を潰して作ったもので、これを自家用の絹織物としたものが紬である。
【０００７】
　この紬は、糸が太くしかも節があって不揃いであるため、一般の綿織物の様に見えながら、その絹の持つ独特の底光りがあり、渋く目立たないため、江戸時代から凝った好みの衣料として主に町人の間で賞用された。産地は、結城紬、長井紬、上田紬、琉球紬、大島紬などがある。また、山繭を使用した山繭紬もあり、その代表として、ポンジーがある。
　このように、紬は、昔から個性のある着物生地として賞用されており、峻別化を望む現代においては、その商品価値も世界的になっている。
【０００８】
　この考案は、その紬により、左右の身頃及び袖を製作し、その適宜位置に毛皮を設けたのである。例えば、その身頃の襟元、袖先、左右身頃の前面合わせ縁全長及び下縁全周等に毛皮を設けたのである。その紬には、上記大島紬などの全てのものを採用できる。
【考案の効果】
【０００９】
　この考案は、紬により、身頃などの衣服(コート)の大部分を作ったので、従来の着物生地であった紬と、着物とはもっとも縁遠い生地である毛皮の組み合わせにより、今までになかった雰囲気を醸し出し、他の毛皮製品と明瞭に峻別されて、斬新なコートとなり、購買欲をそそる。
【考案を実施するための最良の形態】
【００１０】
　各実施形態を図１〜図１０に示し、図１〜図３の実施形態は、左右身頃１ａ、１ｂを大島紬で製作し、その身頃１ａ、１ｂの襟元及びその襟元から左右の身頃の前面合わせ縁全長及び下縁全周、並びに袖３先に、それぞれロシアンセーブル製毛皮２を設けた（縫い合わせた）ものである。
　図４に示す実施形態は、襟元から左右の身頃１ａ、１ｂの前面合わせ縁全長に至って連続的に毛皮２を設けたものである。図５〜図１０に示す実施形態は、襟元及び袖先に毛皮２を設けたものである。
【００１１】
　大島紬には、ロシアンセーブル製毛皮２と相性の良い色と柄をもつ、「泥大島」と「白大島」を使用し、図１、図４の実施形態にその「白大島」を、図２、図３、図５〜図１０の実施形態に「泥大島」をそれぞれ使用した。その「白大島」は、地色を染めず、白のままで絣模様に色を入れたものであり、独特の艶をたたえた白が、爽やかな印象を醸し出す。「泥大島」は、伝統的なテーチ泥染法で染色した糸で織り上げたものであり、泥染めならではのしっとりした深みのある光沢があって、高級感を醸し出す。
　このような大島紬は、高級絹織物として１３００年の伝統を誇り、世界的にも高い評価を得ており、その気品あふれる和の美しさが、極上ロシアンセーブルと出会って、このコートは全く新しい表情を醸し出したものとなる。
【００１２】
　各コートの丈は、ハーフ、ミニロング、ロングなどと自由であり、その長さに応じて、紬の反物の裁断を工夫して、無駄のないようにする。
　また、紬は、一反、一反の柄がそれぞれ異なるため、その柄と毛皮２、及び紬を裁断した片同士の柄の調和を工夫する。
　なお、紬には、大島紬に代えて、上記各産地等のものを採用できることは勿論であり、また、毛皮２もロシアンセーブルに限らない。いずれにしろ、毛皮２の種類と紬１ａ，１ｂの柄、産地の特色などを適宜に考慮して、最も調和の採れた組み合わせを採用する。
【図面の簡単な説明】
【００１３】
【図１】一実施形態の正面図
【図２】他の実施形態の正面図
【図３】他の実施形態の正面図
【図４】他の実施形態の正面図
【図５】他の実施形態の正面図
【図６】他の実施形態の正面図
【図７】他の実施形態の正面図
【図８】他の実施形態の正面図
【図９】他の実施形態の正面図
【図１０】他の実施形態の正面図
【符号の説明】
【００１４】
１ａ　右身頃（紬）
１ｂ　左身頃（紬）
２　　毛皮
３　　袖
【図１】
0003099752.tif 000003
【図２】
0003099752.tif 000004
【図３】
0003099752.tif 000005
【図４】
0003099752.tif 000006
【図５】
0003099752.tif 000007
【図６】
0003099752.tif 000008
【図７】
0003099752.tif 000009
【図８】
0003099752.tif 000010
【図９】
0003099752.tif 000011
【図１０】
0003099752.tif 000012